(57)【要約】  【課題】  通常の記録処理と割り込み記録処理とにおいて記録用紙を排出するビンが異なる記録装置にあって、記録用紙の取り間違いを防止する。  【解決手段】  通常の記録処理がなされる場合、読取部２により原稿を走査して画像データを読み取るコピー時には記録用紙が第１ビン３８ａに排出され、ファクシミリ受信時には記録用紙が第２ビン３８ｂに排出され、外部のＰＣからの画像データ受信時には記録用紙が第３ビン３８ｃに排出される。割り込み記録処理がなされる場合、割り込みコピーでは記録用紙が第４ビン３８ｄに排出され、外部のＰＣからの指示に基づく割り込み記録時には記録用紙が第５ビン３８ｅに排出される。割り込み記録処理が終了した後に、割り込みコピーでは、第４ビン３８ｄに記録用紙を排出した旨を、映像及び／または音声にて報知し、ＰＣからの指示に基づく割り込み記録では、第５ビン３８ｅに記録用紙を排出した旨の情報をＰＣへ送信する。【選択図】      図２
2005119183.tif 000002
【特許請求の範囲】
【請求項１】
画像を記録した用紙が排出される複数のビンを備えており、割り込み記録と通常記録とで画像を記録した用紙が排出されるビンが異なっている記録装置において、割り込み記録の指示を受け付ける受付手段と、受け付けた割り込み記録を実施した後に、該割り込み記録で使用したビンの情報を報知する報知手段とを備えることを特徴とする記録装置。
【請求項２】
前記報知手段は、映像及び／または音声にて前記ビンの情報を報知するようにしたことを特徴とする請求項１記載の記録装置。
【請求項３】
前記受付手段は前記割り込み記録の指示を外部装置から受け付けることとし、前記報知手段は、前記ビンの情報を前記外部装置へ報知するようにしたことを特徴とする請求項１記載の記録装置。
【発明の詳細な説明】
【技術分野】
【０００１】
本発明は、画像を記録した用紙を割り込み記録と通常記録とで異なるビンに排出するようにした記録装置に関する。
【背景技術】
【０００２】
本来のコピー機能，ファクシミリ機能に加えて、ＬＡＮ（Local Area Network）などの通信網を介してパーソナルコンピュータ(Personal Computer，以下、ＰＣという）などの情報作成装置と接続されており、ＰＣから送られるデータを他のファクシミリ装置へ送信する送信機能、及び、そのデータをプリントアウトするプリンタ機能を備えた機能複合型のファクシミリ装置（ファクシミリ複合装置）が開発されている。
【０００３】
また、画像を記録した用紙が排出される複数のビンを備えた複写装置，ファクシミリ装置などの記録装置が知られている（例えば、特許文献１参照）。このような複数ビンの構成をファクシミリ複合装置に適用した場合、コピー処理，ファクシミリ受信，ＰＣ受信において各別に使用するビンを決定したり、ファクシミリ通信における送信器側の電話番号に応じて使用するビンを決定したり、ファクシミリ通信の送信器側で指定された受信者に応じて使用するビンを決定したり、送信元のＰＣに応じて使用するビンを決定したりすることができて、極めて便利である。
【特許文献１】特開平８−３１７１２３号公報
【発明の開示】
【発明が解決しようとする課題】
【０００４】
また、複数のビンを備えた記録装置にあっては、割り込みコピーなどの割り込み記録を受け付けた場合に、それまで行っていた記録処理での記録用紙が排出されたビンとは異なるビンにその割り込み記録での記録用紙を排出するようにすれば、それまでの記録用紙に割り込み記録での記録用紙が混ざることがなくて便利であるため、通常の記録処理で使用するビンと割り込み記録で使用するビンとを異ならせる構成になっているものがある。
【０００５】
割り込み記録時に記録用紙を別のビンに排出する場合、ユーザは、通常記録時に記録用紙が排出されるビンの位置を経験的に記憶しているため、割り込み記録であることを忘れて、割り込み記録の終了時に、その位置を記憶しているビンから割り込み前の記録用紙を誤って取ってしまうことがあるという問題がある。
【０００６】
本発明は斯かる事情に鑑みてなされたものであり、割り込み記録時に記録用紙を排出したビンの情報を報知することにより、割り込み記録時における上述したような記録用紙の取り間違いを防止できる記録装置を提供することを目的とする。
【課題を解決するための手段】
【０００７】
請求項１に係る記録装置は、画像を記録した用紙が排出される複数のビンを備えており、割り込み記録と通常記録とで画像を記録した用紙が排出されるビンが異なっている記録装置において、割り込み記録の指示を受け付ける受付手段と、受け付けた割り込み記録を実施した後に、該割り込み記録で使用したビンの情報を報知する報知手段とを備えることを特徴とする。
【０００８】
請求項１にあっては、受付手段で割り込み記録の指示を受け付けた場合、その受け付けた割り込み記録を実施した後に、割り込み記録で使用したビン、つまり割り込み記録で画像を記録した用紙が排出されたビンの情報を報知手段にて報知してユーザに知らせる。よって、ユーザは、割り込み前の記録用紙を誤って取ることがなく、割り込み記録に該当するビンから正しく記録用紙を取れる。この結果、割り込み記録時における記録用紙の取り間違いを防止する。
【０００９】
請求項２に係る記録装置は、請求項１において、前記報知手段は、映像及び／または音声にて前記ビンの情報を報知するようにしたことを特徴とする。
【００１０】
請求項２にあっては、割り込み記録で画像を記録した用紙が排出されたビンの情報を、表示部で映像表示したり、スピーカから音声出力したりして、ユーザに知らせる。よって、ビンの情報を確実に報知する。
【００１１】
請求項３に係る記録装置は、請求項１において、前記受付手段は前記割り込み記録の指示を外部装置から受け付けることとし、前記報知手段は、前記ビンの情報を前記外部装置へ報知するようにしたことを特徴とする。
【００１２】
請求項３にあっては、割り込み記録の指示を外部装置から受け付けた場合に、割り込み記録で画像を記録した用紙が排出されたビンの情報をその外部装置へ報知する。よって、外部装置のユーザに対して、割り込み記録であることの注意を喚起でき、正しいビンの位置が知らせて、記録用紙の取り間違いを防止する。
【発明の効果】
【００１３】
本発明では、割り込み記録時に、割り込み記録で使用したビンの情報を報知するようにしたので、正しい位置のビンから記録用紙を取ることができて、割り込み記録時における記録用紙の取り間違いを未然に防止することができる。
【００１４】
また、本発明では、割り込み記録で画像を記録した用紙が排出されたビンの情報を映像及び／または音声にて報知するようにしたので、そのビンの情報を確実にユーザに知らせることができる。
【００１５】
更に、本発明では、割り込み記録で使用したビンの情報を、割り込み記録の依頼元の外部装置へ報知するようにしたので、正しいビンの位置を外部装置のユーザへ知らせて、割り込み記録時における記録用紙の取り間違いを防止することができる。
【発明を実施するための最良の形態】
【００１６】
以下、本発明をその実施の形態を示す図面を参照して具体的に説明する。図１は、本発明の記録装置としてのファクシミリ複合装置２０の構成を示すブロック図である。
【００１７】
ファクシミリ複合装置２０は、制御部１，読取部２，記録部３，表示部４，操作部５，符号化・復号化部６，ＲＯＭ７，ＲＡＭ８，画像メモリ９，スピーカ１０，モデム１１，ＮＣＵ（Network Control Unit）１２，ＰＣインタフェース部１３などを備えている。ファクシミリ複合装置２０は、読取部２にて原稿を読み取って画像データを得る読取機能、読み取った画像データ、ファクシミリ通信により受信した画像データ、またはＰＣインタフェース部１３を介してＰＣから受信した画像データに応じた画像を記録部３にて記録する記録機能、及び、読み取った画像データまたは受信した画像データをファクシミリ送信する送信機能を併せ持っている。
【００１８】
制御部１は、具体的にはＣＰＵで構成されており、バス１４を介してファクシミリ複合装置２０の上述したようなハードウェア各部と接続されていて、それらを制御すると共に、ＲＯＭ７に格納された制御プログラムに従って、種々のソフトウェア的機能を実行する。
【００１９】
読取部２は、例えばＣＣＤを利用した光学系で原稿を読み取り、読み取った画像データを出力する。記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。
【００２０】
図２は、読取部２及び記録部３の構成を示す概略図である。読取部２は、載置された１または複数の原稿Ｄを１部ずつ読取位置へ給送し、更に排紙位置まで搬送する自動原稿給送部（ＡＤＦ）２１と、読取位置に給送された原稿を読み取って走査する光学系２２とを備える。光学系２２は、読取位置に光を照射するランプ２２１、原稿の走査光を反射する複数のミラー２２２、集光用のレンズ２２３、ＣＣＤアレイからなるイメージセンサ２２４などを有する。記録部３は、画像データに応じたレーザ光を発するレーザ発光部３１、レーザ発光部３１を駆動する駆動部３２、レーザ光が照射されて潜像を表面に形成する感光ドラム３３、感光ドラム３３の潜像を現像してトナー像を形成する現像器３４、トナー像を用紙に転写する転写器３５、転写されたトナー像を用紙に定着する定着器３６、記録用の用紙Ｐを収容する複数の給紙カセット３７、排出される記録用紙を収容する複数のビン３８ａ〜３８ｅなどを備えている。
【００２１】
これらの五段の複数のビン３８ａ〜３８ｄは、各種の記録処理時において使用されるビンが異なっている。最上段の第１ビン３８ａは原稿のコピーでの記録処理時に使用するものであり、原稿を読み取った画像データに応じた画像が記録された記録用紙が第１ビン３８ａに排出される。二段目の第２ビン３８ｂはファクシミリ通信での記録処理時に使用するものであり、ファクシミリ通信により受信した画像データに応じた画像が記録された記録用紙が第２ビン３８ｂに排出される。三段目の第３ビン３８ｃは外部のＰＣからの指示に基づく記録処理時に使用するものであり、外部のＰＣから送られてきた画像データに応じた画像が記録された記録用紙が第３ビン３８ｃに排出される。四段目の第４ビン３８ｄは割り込みコピー時に使用するものであり、割り込みコピーにおける画像データに応じた画像が記録された記録用紙が第４ビン３８ｄに排出される。最下段の第５ビン３８ｅは外部のＰＣからの指示に基づく割り込み記録時に使用するものであり、この割り込み記録における画像データに応じた画像が記録された記録用紙が第５ビン３８ｅに排出される。
【００２２】
表示部４は、液晶表示装置またはＣＲＴディスプレイ等の表示装置であり、ファクシミリ複合装置２０の動作状態を表示したり、ユーザに注意を喚起させる画面またはユーザへ操作入力を促す画面を表示したり、送信すべく読み取った原稿の画像データ、他のファクシミリ装置またはＰＣから送信された画像データなどの表示を行う。操作部５は、ファクシミリ複合装置２０を操作するために必要な文字キー，テンキー，短縮ダイヤルキー，ワンタッチダイヤルキー，各種のファンクションキーなどを備えている。操作部５は、ファンクションキーとして、割り込みコピーの指示を受け付ける割り込みコピーキー５ａを有する。なお、表示部４をタッチパネル方式とすることにより、操作部５の各種のキーの内の一部または全部を代用することも可能である。
【００２３】
符号化・復号化部６は、画像データを符号化圧縮すると共に、符号化圧縮されている画像データを復号する。ＲＯＭ７は、ファクシミリ複合装置２０の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。ＲＡＭ８は、記録処理の種別と使用するビンとの対応関係を表す、図３に示すような内容のビンテーブル８ａを有している。画像メモリ９は、ＤＲＡＭ等で構成され、原稿を読み取って符号化した画像データ、他のファクシミリ装置またはＰＣから受信して符号化した画像データなどを蓄積する。スピーカ１０は、注意を喚起させる情報または操作入力を促す情報を音声にてユーザへ伝える。
【００２４】
モデム１１は、バス１４に接続されており、ファクシミリ通信が可能なファクシミリモデムから構成されている。また、モデム１１は、同様にバス１４に接続されたＮＣＵ１２と直接的に接続されている。ＮＣＵ１２は、公衆電話回線網（ＰＳＴＮ：Public Switched Telephone Network)との回線Ｌ１の閉結及び開放の動作を行うハードウェアであり、必要に応じてモデム１１をＰＳＴＮと接続する。そして、ファクシミリ複合装置２０は、ＰＳＴＮによって他のファクシミリ装置と接続されており、通常のファクシミリ通信が行えるようになっている。ＰＣインタフェース部１３は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置２０（ＰＣインタフェース部１３）へ送信され、送信された画像データに応じた画像がファクシミリ複合装置２０（記録部３）にて用紙にプリントアウトされるようになっている。また、ＰＣから割り込み記録が指示されるようになっており、ＰＣから割り込み記録のコマンドが送信された場合、このコマンドに応じて、他の記録処理に割り込まれる態様で、ＰＣからの画像データに応じた画像が用紙にプリントアウトされる。
【００２５】
本発明のファクシミリ複合装置２０は、通常の記録処理がなされる場合、読取部２により原稿を走査して読み取った画像データに応じた画像が記録された記録用紙は第１ビン３８ａに排出され、回線Ｌ１を介してファクシミリ通信によって受信した画像データに応じた画像が記録された記録用紙は第２ビン３８ｂに排出され、通信線Ｌ２を介して外部のＰＣから受信した画像データに応じた画像が記録された記録用紙は第３ビン３８ｃに排出される。一方、割り込み記録処理がなされる場合、割り込みコピーでは原稿を走査して読み取った画像データに応じた画像が記録された記録用紙は第４ビン３８ｄに排出され、外部のＰＣからの指示に基づく割り込み記録ではＰＣから受信した画像データに応じた画像が記録された記録用紙は第５ビン３８ｅに排出される。そして、割り込みコピーでは、割り込みコピー処理が終了した後に、第４ビン３８ｄに記録用紙を排出した旨を、表示部４で映像にて表示すると共に、スピーカ１０で音声にて発するようになっており、また、ＰＣからの指示に基づく割り込み記録では、その割り込み記録処理が終了した後に、第５ビン３８ｅに記録用紙を排出した旨の情報を通信線Ｌ２を介してＰＣへ送信するようになっている。
【００２６】
以下、本発明のファクシミリ複合装置２０での特徴部分である記録処理の動作について説明する。図４は、この動作手順の一例を示すフローチャートである。
【００２７】
まず、制御部１は、記録処理が終了したか否かを判断し（ステップＳ１）、終了した場合には（Ｓ１：ＹＥＳ）、終了した記録処理が割り込み記録であるか否かを判断する（ステップＳ２）。割り込み記録でない場合（Ｓ２：ＮＯ）、つまり通常の記録処理である場合には、そのまま動作が終了する。
【００２８】
終了した記録処理が割り込み記録である場合（Ｓ２：ＹＥＳ）、制御部１は、その記録処理が割り込みコピーであるか否かを判断する（ステップＳ３）。割り込みコピーである場合（Ｓ３：ＹＥＳ）、制御部１は、ＲＡＭ８内のビンテーブル８ａを参照して記録用紙の排出先のビンを確認する（ステップＳ４）。そして、表示部４で「第４ビン４ｄに記録用紙があります」というメッセージを表示すると共に（ステップＳ５）、同じメッセージをスピーカ１０から発して（ステップＳ６）、動作を終了する。
【００２９】
一方、終了した記録処理が割り込みコピーでない場合（Ｓ３：ＮＯ）、即ちＰＣからの指示に基づく割り込み記録である場合、制御部１は、ＲＡＭ８内のビンテーブル８ａを参照して記録用紙の排出先のビンを確認する（ステップＳ７）。そして、第５ビン５ｄに記録用紙がある旨の情報を、通信線Ｌ２を介してＰＣへ送信して（ステップＳ８）、動作を終了する。
【００３０】
なお、上述した例では、映像及び音声にて排出先のビンをユーザに知らせるようにしたが、表示部４による映像表示、または、スピーカ１０による音声出力のいずれかを用いて排出先のビンを知らせるようにしても良い。
【００３１】
また、上述した例では、割り込み記録として割り込みコピー及び外部ＰＣからの指示に基づく割り込み記録を行う場合について説明したが、これらに加えてファクシミリ通信における割り込み記録処理についても同様に行えることは勿論である。
【００３２】
また、上述した実施の形態では、割り込み記録時にのみ記録用紙を排出したビンの情報を報知するようにしたが、通常の記録処理時にも記録用紙を排出したビンの情報を報知するように構成しても良い。
【００３３】
また、上述した実施の形態ではファクシミリ複合装置を例として説明したが、ファクシミリ装置、ディジタル複写機、プリンタなど、複数のビンを備えて割り込み記録処理を行える全ての記録装置に本発明を適用できることは言うまでもない。
【図面の簡単な説明】
【００３４】
【図１】本発明のファクシミリ複合装置の構成を示すブロック図である。
【図２】本発明のファクシミリ複合装置の読取部及び記録部の構成を示す概略図である。
【図３】ビンテーブルの内容を示す図である。
【図４】本発明のファクシミリ複合装置における動作手順の一例を示すフローチャートである。
【符号の説明】
【００３５】
１  制御部
２  読取部
３  記録部
４  表示部
５  操作部
５ａ  割り込みコピーキー
７  ＲＯＭ
８ａ  ビンテーブル
１０  スピーカ
１３  ＰＣインタフェース部
３８ａ  第１ビン
３８ｂ  第２ビン
３８ｃ  第３ビン
３８ｄ  第４ビン
３８ｅ  第５ビン
【図１】
2005119183.tif 000003
【図２】
2005119183.tif 000004
【図３】
2005119183.tif 000005
【図４】
2005119183.tif 000006